(57)【特許請求の範囲】
【請求項１】
ループ状の伝熱管を伝熱部側壁に支持する伝熱管のサポートラグであって、伝熱部側壁から伝熱部内側へ延在され上側と下側に設けた案内面と内側先端部の上側と下側に突出したストッパー部を備えたサポート板と、前記上側案内面に摺動可能に嵌合する下向き案内溝を下面に備えて前記伝熱管のループ状曲り部下面に取付けられたラグと、前記下側案内面に下方から近接して前記ラグに取付けられた帯状の外れ防止板とを備えたことを特徴とする伝熱管のサポートラグ。
【発明の詳細な説明】
【０００１】
【発明の属する技術分野】
本発明は、火力発電のボイラの伝熱部側壁に伝熱管を支持させるサポートラグに関するものである。
【０００２】
【従来の技術】
火力発電で用いられるボイラの内部には、伝熱管で構成された各種の加熱器が設けられると共に、該加熱器とボイラの伝熱部側壁の間には、サポートラグが備えられており、その一例を図４〜図６に示す。
【０００３】
而して、ボイラ１は、図４〜図６に示す如く伝熱管２とフィン３で構成される伝熱部側壁４によって周囲を囲まれた火炉５及び伝熱部６からなり、火炉５内には、重油若しくは微粉炭の燃料を燃焼させるバーナ７が設けられており、伝熱部６には、排ガスを排出する排ガス通路８が連通されると共に、伝熱部６の内部には、燃焼ガスの熱で水や蒸気を加熱する再熱器、過熱器、節炭器等の各種の加熱器９が設けられている。
【０００４】
加熱器９は、図５に示す如く左右方向に間隔をあけて直線部を上下方向に複数本並べるよう、伝熱部側壁４近傍でループ状に複数回に亘って屈曲した一本の伝熱管１０を平面状に形成し、該平面状の伝熱管１０を図５の紙面に垂直な方向に複数個配置した構成を有している。
【０００５】
伝熱管１０の直線部には、伝熱部６内の固定部材（図示せず）の上から延びる長い板状あるいは棒状の防振金具１１が設けられており、防振金具１１は、隣り合う平面状の伝熱管１０が接触するのを防止している。
【０００６】
伝熱管１０のループ状に曲折したループ状曲り部下面と伝熱部側壁４の間には、サポート板１２とラグ１３からなるサポートラグ１４が設けられている。
【０００７】
図６に示す如く、前記サポート板１２は、伝熱部側壁４を形成する伝熱管２から伝熱管１０のループ状曲り部下面の近傍まで延在すると共に内側先端部分を伝熱部側壁４に対して平行になるように屈折し、先端屈折部の上面に伝熱部側壁４に沿って水平に延びて形成された案内面１２ａを備えており、又、ラグ１３は、伝熱管１０のループ状曲り部下面から伝熱部側壁４方向の中途部まで延在し、延在方向に形成されて前記案内面１２ａ上に載置される案内溝１３ａを下面に備えている。
【０００８】
上記したように、サポート板１２の案内面１２ａに、ラグ１３の下面の案内溝１３ａを上方から摺動可能に嵌合させることにより、サポートラグ１４を介して伝熱管１０の重量が伝熱部側壁４に支持されている。
【０００９】
火炉５内のバーナ７で燃料を燃焼した際に、発生した燃焼ガスは、伝熱部６に流れて伝熱管１０内の水を加熱しつつ排ガス通路８に導かれて、また、伝熱管２，１０にて加熱された水は、水蒸気となってタービン（図示せず）に送給されて発電を行う。
【００１０】
燃焼ガスが伝熱管１０内の水を加熱した際には、伝熱管１０も熱膨張して伸長を生じており、伝熱管１０の直線部分の軸線方向（図６のＸ軸方向）への熱膨脹等に起因する伸長に対しては、案内溝１３ａの延長方向にラグ１３とサポート板１２とが相対的に摺動することにより吸収され、伝熱部側壁４の水平方向（図６のＹ軸方向）への熱膨脹等に起因する伸長に対しては、案内面１２ａの延長方向にラグ１３とサポート板１２とが相対的に摺動することにより吸収されている。
【００１１】
又、熱膨脹等に起因する伸長が大きい場合には、伝熱管１０の直線部分の軸線方向（図６のＸ軸方向）に対して案内溝１３ａの端部で係止され、伝熱部側壁４の水平方向（図６のＹ軸方向）に対しては、案内面１２ａの端部で係止される。
【００１２】
【発明が解決しようとする課題】
しかしながら、上述した従来のサポートラグ１４において、加熱された伝熱管１０が膨張した際には、伝熱管１０が前後左右方向（図６のＸ、Ｙ軸方向）に伸長すると共に、浮き上がる（図６のＺ軸方向）ことがあり、このためにラグ１３がサポート板１２の案内面１２ａから外れてしまい、伝熱管１０を支持することができなくなるという問題があった。
【００１３】
本発明は上述の実情に鑑み、伝熱管の熱膨張によってサポート板からラグが外れないようにする伝熱管のサポートラグを提供することを目的としてなしたものである。
【００１４】
【課題を解決するための手段】
本発明の伝熱管のサポートラグは、ループ状の伝熱管を伝熱部側壁に支持する伝熱管のサポートラグであって、伝熱部側壁から伝熱部内側へ延在され上側と下側に設けた案内面と内側先端部の上側と下側に突出したストッパー部を備えたサポート板と、前記上側案内面に摺動可能に嵌合する下向き案内溝を下面に備えて前記伝熱管のループ状曲り部下面に取付けられたラグと、前記下側案内面に下方から近接して前記ラグに取付けられた帯状の外れ防止板とを備えたものである。
【００１５】
伝熱管の熱膨張に起因する前後左右方向の伸長は案内溝と案内面によるサポート板とラグの摺動によって吸収され、伸長が大きい場合には、ストッパー部及び案内溝の幅端部で係止されると共に、伝熱管の熱膨張による浮き上がりは、伝熱管のサポートラグの外れ防止板によって係止されるので、サポート板の案内面からラグが外れることがなくなり、従って伝熱管の重量をサポートラグを介して確実に伝熱部側壁に支持させることができる。
【００１６】
【発明の実施の形態】
以下、本発明の実施の形態を図示例と共に説明する。
【００１７】
図１〜図３は、本発明の伝熱管１０のサポートラグ１５であって、サポートラグ１５は、伝熱管１０のループ状曲り部下面と伝熱部側壁４の間に設けられており、図１〜図３において図６と同一の符号を付した部分は同一物を表わしている。
【００１８】
伝熱部側壁４を形成する伝熱管２の伝熱部６内側には、伝熱管２から伝熱部６内方へ延在するサポート板１６が溶接されており、サポート板１６は、延在方向の上面に位置する上側案内面１６ａと下面に位置する下側案内面１６ｂを有すると共に、内側先端部分の上側と下側に突出したストッパー部１６ｃ，１６ｃを備えている。
【００１９】
伝熱管１０のループ状曲り部下面には、ラグ１７が溶接にて取付けられている。ラグ１７は、図２に示す如く前記サポート板１６の上側案内面１６ａの上の略中央部にサポート板１６と交差する方向に備えられた載置部１７ａと、該載置部１７ａの両端から伝熱管１０のループ状曲り部方向に延びる側面板部１７ｂ，１７ｂとを備えて平面形状が略コの字状を有しており、前記１７ａの下端には、図３に示す如く上側案内面１６ａに摺動可能に嵌合する下向き案内溝１８を形成している。
【００２０】
ラグ１７の側面板部１７ｂ，１７ｂの先端部外側には、サポート板１６の下側案内面１６ｂに下方から近接してサポート板１６を取囲むよう帯状の外れ防止板１９が固定されており、ラグ１７と外れ防止板１９は、ラグ１７案内板の案内溝１８と外れ防止板１９の最下部とでサポート板１６の上側案内面１６ａ及び下側案内面１６ｂを夫々包むように構成されている。
【００２１】
以下、本発明の実施の形態例の作用を説明する。
【００２２】
燃焼ガスが伝熱管１０内の水を加熱した際には、伝熱管１０も熱膨張して伸長を生じており、伝熱管１０の直線部分の軸線方向（図２のＸ軸方向）への熱膨脹等に起因する伸長に対しては、上側案内面１６ａの延長方向にラグ１７とサポート板１６とが相対的に摺動することにより吸収され、伝熱部側壁４の水平方向（図２のＹ軸方向）への熱膨脹等に起因する伸長に対しては、案内溝１８の幅寸法内でラグ１７とサポート板１６とが相対的に摺動することにより吸収されている。
【００２３】
熱膨脹等に起因する伸長が大きい場合には、伝熱管１０の直線部分の軸線方向（図２のＸ軸方向）に対して上側と下側に突出したストッパー部１６ｃで係止され、伝熱部側壁４の水平方向（図２のＹ軸方向）に対しては、案内溝１８の幅端部（図３の左右端部）によって係止されており、浮き上がり方向（図１のＺ軸方向）への熱膨脹等に起因する伸長が起こった場合には、外れ防止板１９により係止される。
【００２４】
このため、ラグ１７はサポート板１６から外れることがなくなり、伝熱管１０の重量をサポートラグ１５によって確実に伝熱部側壁４に支持させることができる。
【００２５】
なお、本発明の実施の形態は、上述の形態例のみに限定されるものではなく、本発明の要旨を逸脱しない範囲内において種々変更を加え得ることは勿論である。
【００２６】
【発明の効果】
本発明の伝熱管のサポートラグによれば、伝熱管の熱膨張に起因する前後左右方向の伸長は案内溝と案内面によるサポート板とラグの摺動によって吸収され、伸長が大きい場合には、ストッパー部及び案内溝の幅端部で係止されると共に、伝熱管の熱膨張による浮き上がりは、伝熱管のサポートラグの外れ防止板によって保持されるので、ラグがサポート板の案内面から外れることがなくなり、従って伝熱管の重量をサポートラグを介して伝熱部側壁に確実に支持させることができるという優れた効果を奏し得る。
【図面の簡単な説明】
【図１】本発明の伝熱管のサポートラグの一例を示す側面図である。
【図２】図１のＩＩ−ＩＩ方向の矢視図である。
【図３】図１のＩＩＩ−ＩＩＩ方向の矢視図である。
【図４】ボイラの一例の概要を示す縦断側面図である。
【図５】従来の伝熱部の伝熱管及びサポートラグの一例を示す側面図である。
【図６】図５の伝熱管のサポートラグの一例を示す拡大斜視図である。
【符号の説明】
４          伝熱部側壁
６          伝熱部
９          加熱器
１０          伝熱管
１５          サポートラグ
１６          サポート板
１６ａ        上側案内面
１６ｂ        下側案内面
１６ｃ        ストッパー部
１７          ラグ
１８          案内溝
１９          外れ防止板
【図１】
0003997567.tif 000002
【図２】
0003997567.tif 000003
【図３】
0003997567.tif 000004
【図４】
0003997567.tif 000005
【図５】
0003997567.tif 000006
【図６】
0003997567.tif 000007